(57)【特許請求の範囲】
【請求項１】
倒立円錐状に保持される攪拌混合用の円錐型容器を有する攪拌機に於て、上記円錐型容器が移動可能な下部（Ｔ１）と架台に固定した上部（Ｔ２）に分割されており、
上記下部（Ｔ１）と上部（Ｔ２）を閉じた状態に固定する固定金具（Ｋ）を備え、上記円錐型容器を開く際に、上記固定金具（Ｋ）の固定を解除して上記下部（Ｔ１）と上部（Ｔ２）を開閉可能にする第１シリンダー（Ｓ１）と、上記下部（Ｔ１）を下げる作業を行う第２シリンダー（Ｓ２）と、次に上記下部（Ｔ１）を水平軸心廻りに回転させる作業を行う第３シリンダー（Ｓ３）と、上記下部（Ｔ１）を鉛直軸心廻りに回転させる作業を行う第４シリンダー（Ｓ４）とを有することを特徴とする円錐型攪拌機。
【請求項２】
倒立円錐状に保持される攪拌混合用の円錐型容器を有する攪拌機に於て、上記円錐型容器が移動可能な下部（Ｔ１）と架台に固定した上部（Ｔ２）に分割されており、
上記下部（Ｔ１）と上部（Ｔ２）を閉じた状態に固定する固定金具（Ｋ）を備え、上記円錐型容器を開く際に、上記固定金具（Ｋ）の固定を解除して上記下部（Ｔ１）と上部（Ｔ２）を開閉可能にする第１シリンダー（Ｓ１）を有し、かつ、上記下部（Ｔ１）の下端にローラ（Ｒ）を付設するとともに、該ローラ（Ｒ）を横滑りさせつつ案内して上記下部（Ｔ１）を転倒可能とする弯曲凹状のガイドレール（ＧＲ）を上記円錐型容器の下方に備え、さらに、上記下部（Ｔ１）を下げるとともに該下部（Ｔ１）を上記ガイドレール（Ｒ）に沿って転倒させるシリンダー（Ｓ６）を有することを特徴とする円錐型攪拌機。
【請求項３】
倒立円錐状に保持される攪拌混合用の円錐型容器を有する攪拌機に於て、上記円錐型容器の一部（Ｔ２）を固定構造として、該円錐型容器の残部が回転部（Ｔ１）として鉛直軸心廻りに揺動して開閉自在となるように、上記円錐型容器を分割し、かつ、上記回転部（Ｔ１）と一部（Ｔ２）を閉じた状態に固定する固定金具（Ｋ）を備えることを特徴とする円錐型攪拌機。
【発明の詳細な説明】
【０００１】
【発明の属する技術分野】
この発明は、円錐型攪拌機に関する。
【０００２】
【従来の技術】
従来の円錐型攪拌機の構造は、図５―A に示すように、容器全体が溶接されている。
又図５―B に示すように、タンクの上蓋全体が、相当数のボルトで締め付けられていた。
【０００３】
【発明が解決しようとする課題】
しかしながら、以上の従来技術によれば、スクリューの裏の洗浄が難しく、異物混入の確認, 点検, 修理の為に小さなマンホールから入っての作業で、熟練者でも、機械に巻き込まれや発生ガスや酸欠、脚を滑らせて落下等非常に危険である。又小型の機械では内部に入る事は無理で、異物混入が避けられない。
そこで、この発明は、タンク内に入る事無く、簡単に洗浄や修理のできる円錐型攪拌混合機を提供することを課題とする。
【０００４】
【課題を解決するための手段】
以上の課題を解決するために、請求項１の発明は、倒立円錐状に保持される攪拌混合用の円錐型容器を有する攪拌機に於て、上記円錐型容器が移動可能な下部と架台に固定した上部に分割されており、上記下部と上部を閉じた状態に固定する固定金具を備え、上記円錐型容器を開く際に、上記固定金具の固定を解除して上記下部と上部を開閉可能にする第１シリンダーと、上記下部を下げる作業を行う第２シリンダーと、次に上記下部を水平軸心廻りに回転させる作業を行う第３シリンダーと、上記下部を鉛直軸心廻りに回転させる作業を行う第４シリンダーとを有するものである。
【０００５】
また、請求項２の発明は、倒立円錐状に保持される攪拌混合用の円錐型容器を有する攪拌機に於て、上記円錐型容器が移動可能な下部と架台に固定した上部に分割されており、上記下部と上部を閉じた状態に固定する固定金具を備え、上記円錐型容器を開く際に、上記固定金具の固定を解除して上記下部と上部を開閉可能にする第１シリンダーを有し、かつ、上記下部の下端にローラを付設するとともに、該ローラを横滑りさせつつ案内して上記下部を転倒可能とする弯曲凹状のガイドレールを上記円錐型容器の下方に備え、さらに、上記下部を下げるとともに該下部を上記ガイドレールに沿って転倒させるシリンダーを有するものである。
【０００６】
また、請求項３の発明は、倒立円錐状に保持される攪拌混合用の円錐型容器を有する攪拌機に於て、上記円錐型容器の一部を固定構造として、該円錐型容器の残部が回転部として鉛直軸心廻りに揺動して開閉自在となるように、上記円錐型容器を分割し、かつ、上記回転部と一部を閉じた状態に固定する固定金具を備えるものである。
【０００７】
【発明の実施の形態】
この攪拌機はスクリュー３がモーターＭ１の駆動で自転をしながら、モーターＭ２の駆動でＡのアームが円錐型容器Ｔ１．Ｔ２の内周を公転しながら攪拌する構造である。
【０００８】
この発明の第１の実施の形態（請求項１）を、図１に示す。
円錐型容器を上下Ｔ１とＴ２に分割して上部Ｔ２と駆動部及びスクリュー３を架台に取付け固定する。
円錐型容器の下部Ｔ１を第一段階は複数のシリンダーＳ１を引き固定金具の連結を解除して、開閉可能にする、第二段階はシリンダーＳ２で少しだけ下げる、円錐構造の為。少しの下降でタンクＴ１と駆動部やスクリュー３との間隔が確保できる、第三段階はシリンダーＳ３で軸Ｊを芯に垂直に回転させてＰ１の位置になる、第４段階はシリンダーＳ４で、水平方向に回転してＰ２の正面に向き洗浄点検が可能になる、以上がタンクを開く作業であるが、閉じる時は一連の作業を逆に作動させ、攪拌混合に移る。
【０００９】
この発明の第２の実施の形態（請求項２）を図２に示す。
固定された攪拌容器の上部Ｔ２と下部の移動部容器Ｔ１がＳ６のシリンダーで下げられ、ＲのローラーがガイドレールＧＲの案内で横滑りして、容器Ｔ１が転倒して洗浄可能となる構造である、タンクの固定は固定金具Ｋで行う。
【００１０】
この発明の第３の実施の形態（請求項３）を、図３に示す。
円錐型容器の一部Ｔ２を固定構造として、回転部Ｔ１が軸Ｊを中心に横に開閉させる構造である、接合部分はパッキンでシールして回転部の開閉はシリンダーや手動でもかまわない、また閉じた後の固定をＫの固定金具シリンダーで行う。
【００１１】
この発明の固定金具を、図４に示す。
図４−Ａに示すように、Ｔ１とＴ２のタンク上下はＫの固定金具でタンクのフランジＦの外周をはさみつける。
固定金具は図４−Ｂに示すように、Ｙ型の金具ＹをＧのガイド棒の後ろに取付けた、強力なバネＢＡとシリンダーＳ１で押し付ける構造である、シリンダーＳ１で押し引きを行うが、圧力低下による金具の押し付けの緩みを防ぐ構造である。
【００１２】
【実施形態の効果】
この実施形態によれば、タンク内での危険作業がなくなり、安全に目前で洗浄や点検が常時行え、製品の不良品も激減する。
【００１３】
【他の実施形態】
図1 、図２、図３, は攪拌容器の大半を開ける構造であるが、大型機械では、作業者が出入りできる程度の大きさの開閉でも、洗浄点検の目的は達成できる。
【００１４】
【発明の効果】
以上説明したように、この発明によれば、駆動部のスクリューが長くまた上部に各種配管やダクトが接続されるため、他の攪拌機のように上部の蓋を油圧装置等で持ち上げる事ができなく、永年不可能とされてきた、円錐型攪拌機が簡単に開閉出来る様になり、欠点であった洗浄が簡単に出来る様になる。
【図面の簡単な説明】
【図１】この発明の第１の実施の形態を示す全体図である。
【図２】この発明の第２の実施の形態を示す図面である。
【図３】この発明の第３の実施の形態を示す図面である。
【図４】Ａはこの発明の固定金具でＢはその詳細図である。
【図５】従来技術を示す図（２例）である。
【符号の説明】
Ｔ１容器移動部  Ｔ２容器固定部  Ｍ１モーター  Ｍ２モーター  Ａアーム
３スクリュー  Ｓ１〜Ｓ４シリンダー  Ｊ軸  Ｐ１〜Ｐ２移動位置
Ｓ６シリンダー  Ｒローラー  Ｋ固定金具  ＧＲガイドレール
Ｙ−Ｙ型金具  Ｇガイド棒  Ｓ１シリンダー  ＢＡバネ
【図１】
0003942954.tif 000002
【図２】
0003942954.tif 000003
【図３】
0003942954.tif 000004
【図４】
0003942954.tif 000005
【図５】
0003942954.tif 000006